(57)【要約】  通信モード調整を実現する方法、マクロ基地局及びマイクロ基地局であって、該方法は、第1通信ノードは第2通信ノードに二重モード調整情報を送信するステップ、及び第2通信ノードは全二重モードを少なくともサポートするステップを含む。本発明の技術的解決手段は、第2通信ノードに二重モード調整情報を送信することによって、第2通信ノードはいつでも全二重モードを開いて、システムの柔軟性に与える影響を避け、全二重モードが第2通信ノードにもたらす電力消費を低下させ、その下位端末の負担を軽減する。【選択図】図1
2017529777.tif 000002
【特許請求の範囲】
【請求項１】
第1通信ノードは第2通信ノードに二重モード調整情報を送信するステップ、及び
前記第2通信ノードは全二重モードを少なくともサポートするステップを含む通信モード調整を実現する方法。
【請求項２】
前記第1通信ノードが第2通信ノードに二重モード調整情報を送信するステップは、
受信した前記二重モード調整情報に基づき、前記第2通信ノードが通信モード調整を行うように、前記第1通信ノードは前記第2通信ノードがサポートした二重モードに基づき、前記第2通信ノードに前記二重モード調整情報を送信することを含む請求項1に記載の通信モード調整を実現する方法。
【請求項３】
前記第1通信ノードは第2通信ノードに二重モード調整情報を送信するステップの前に、該方法は、
前記第2通信ノードは前記第1通信ノードに自分がサポートした二重モード、又は前記第2通信ノードがサポートした二重モードに関連する情報を通知するステップを更に含む請求項1又は2に記載の通信モード調整を実現する方法。
【請求項４】
前記第1通信ノードは第2通信ノードに二重モード調整情報を送信するステップの前に、該方法は、
前記第1通信ノードはネットワーク負荷又はチャネル状態情報を取得するステップ、又は、
前記第1通信ノードは前記第2通信ノードが送信した二重モード調整要求情報を受信するステップを更に含む請求項1又は2に記載の通信モード調整を実現する方法。
【請求項５】
前記第1通信ノードがネットワーク負荷又はチャネル状態情報を取得する際に、前記第1通信ノードが第2通信ノードに二重モード調整情報を送信するステップは、
前記第1通信ノードが取得したネットワーク容量は需求を満たし、又は前記チャネル状態情報はチャネル品質要求を満たさなく、前記第1通信ノードは全二重モードを閉じる二重モード調整情報を前記第2通信ノードに送信すること、及び
前記第1通信ノードが取得した前記ネットワーク容量は要求を満たさなく、前記第1通信ノードは全二重モードを開く二重モード調整情報を前記第2通信ノードに送信することを含む請求項4に記載の通信モード調整を実現する方法。
【請求項６】
前記第2通信ノードが二重モード調整要求情報を前記第1通信ノードに送信する際に、前記第1通信ノードが第2通信ノードに二重モード調整情報を送信するステップは、
第2通信ノードは前記二重モード調整要求情報を前記第1通信ノードに送信し、前記第1通信ノードはネットワーク状況に基づき、前記二重モード調整情報を前記第2通信ノードに送信するか否かを確定することを含む請求項4に記載の通信モード調整を実現する方法。
【請求項７】
前記第2通信ノードがサポートした二重モードに関連する情報は、
帯域幅情報、及び/又はキャッシュ情報、及び/又は最大レート情報、及び/又はバージョン情報を含む請求項3に記載の通信モード調整を実現する方法。
【請求項８】
前記二重モード調整情報は、
前記全二重モードを開き/閉じ、又は全二重モードから時分割二重モード及び/又は周波数分割二重モードへ切り替える情報、又は、
前記第2通信ノードに全二重モードの動作時間周波数リソースを指示する情報、又は、
前記第2通信ノードに全二重モードのサブ動作モードを指示する情報、又は、
前記第2通信ノードに前記全二重モードに関連する制御チャネルのリソース位置を受信することを指示する情報、を含む請求項1〜6のいずれか一項に記載の通信モード調整を実現する方法。
【請求項９】
前記二重モード調整情報は、前記全二重モードを開く/閉じる情報を含み、
前記全二重モードを開く/閉じるのは、一部のリソースにおける全二重モードを開く/閉じることを含む請求項8に記載の通信モード調整を実現する方法。
【請求項１０】
前記二重モード調整情報は、前記第2通信ノードに全二重モードの動作時間周波数リソースを指示する情報を含み、
前記動作時間周波数リソースは動作時間周波数リソースの位置、及び/又は動作時間周波数の周期を含む請求項8に記載の通信モード調整を実現する方法。
【請求項１１】
前記二重モード調整情報は前記第2通信ノードに全二重モードのサブ動作モードを指示する情報を含み、
前記サブ動作モードは、
前記第2通信ノードは前記第1通信ノードが送信したデータを受信すると同時に、第3通信ノードにデータを送信するモード、又は、
前記第2通信ノードは第3通信ノードが送信したデータを受信すると同時に、前記第1通信ノードにデータを送信するモードを含み、
前記第3通信ノードは前記第2通信ノードと接続を確立するノードである請求項8に記載の通信モード調整を実現する方法。
【請求項１２】
第2通信ノードは第1通信ノードが送信した二重モード調整情報を受信するステップ、
前記第2通信ノードは受信した前記二重モード調整情報に基づき通信モード調整を行うステップ、及び
前記第2通信ノードは全二重モードをサポートするステップを含む通信モード調整を実現する方法。
【請求項１３】
前記第2通信ノードは第1通信ノードが送信した二重モード調整情報を受信するステップの前に、該方法は、前記第2通信ノードは自分がサポートした二重モード、又は前記第2通信ノードがサポートした二重モードに関連する情報を前記第1通信ノードに送信するステップを更に含む請求項12に記載の通信モード調整を実現する方法。
【請求項１４】
前記第2通信ノードは第1通信ノードが送信した二重モード調整情報を受信するステップの前に、該方法は、
前記第2通信ノードは二重モード調整要求情報を前記第1通信ノードに送信するステップを更に含む請求項12に記載の通信モード調整を実現する方法。
【請求項１５】
該方法は、前記第2通信ノードは前記第1通信ノードが送信した全二重モードを閉じる二重モード調整情報、又は全二重モードを開く二重モード調整情報を受信するステップを更に含む請求項12〜14のいずれか一項に記載の通信モード調整を実現する方法。
【請求項１６】
前記第1通信ノードは受信した前記二重モード調整要求情報及びネットワーク状況に基づき、前記二重モード調整情報を前記第2通信ノードに送信するか否かを確定するステップを更に含む請求項14に記載の通信モード調整を実現する方法。
【請求項１７】
前記第2通信ノードがサポートした二重モードに関連する情報は、帯域幅情報、及び/又はキャッシュ情報、及び/又は最大レート情報、及び/又はバージョン情報を含む請求項13に記載の通信モード調整を実現する方法。
【請求項１８】
前記二重モード調整情報は、
前記全二重モードを開き/閉じ、又は全二重モードから時分割二重モード及び/又は周波数分割二重モードへ切り替える情報、又は、
前記第2通信ノードに全二重モードの動作時間周波数リソースを指示する情報、又は、
前記第2通信ノードに全二重モードのサブ動作モードを指示する情報、又は、
前記第2通信ノードに前記全二重モードに関連する制御チャネルのリソース位置を受信することを指示する情報を含む請求項12〜17のいずれか一項に記載の通信モード調整を実現する方法。
【請求項１９】
前記二重モード調整情報は、前記全二重モードを開く/閉じる情報を含み、
前記全二重モードを開く/閉じるのは、一部のリソースにおける全二重モードを開く/閉じることを含む請求項18に記載の通信モード調整を実現する方法。
【請求項２０】
前記二重モード調整情報は、前記第2通信ノードに全二重モードの動作時間周波数リソースを指示する情報を含み、
前記動作時間周波数リソースは動作時間周波数リソースの位置、及び/又は動作時間周波数の周期を含む請求項18に記載の通信モード調整を実現する方法。
【請求項２１】
前記二重モード調整情報は前記第2通信ノードに全二重モードのサブ動作モードを指示する情報を含み、
前記サブ動作モードは、
前記第2通信ノードは前記第1通信ノードが送信したデータを受信すると同時に、第3通信ノードにデータを送信するモード、又は、
前記第2通信ノードは第3通信ノードが送信したデータを受信すると同時に、前記第1通信ノードにデータを送信するモードであり、
前記第3通信ノードは前記第2通信ノードと接続を確立するノードである請求項18に記載の通信モード調整を実現する方法。
【請求項２２】
第1送信ユニットを備え、
該第1送信ユニットは、第2通信ノードに二重モード調整情報を送信するように設定され、
前記第2通信ノードは全二重モードを少なくともサポートするマクロ基地局。
【請求項２３】
前記第1送信ユニットは
受信した前記二重モード調整情報に基づき、前記第2通信ノードが通信モード調整を行うように、前記第2通信ノードがサポートした二重モードに基づき、前記第2通信ノードに前記二重モード調整情報を送信するとの方式で第2通信ノードに二重モード調整情報を送信する請求項22に記載のマクロ基地局。
【請求項２４】
取得ユニット及び判断ユニットを更に備え、
前記取得ユニットは、ネットワーク負荷又はチャネル状態情報を取得するように設定され、
該判断ユニットは、前記取得ユニットの取得したネットワーク容量及びチャネル状態情報が需求又はチャネル品質要求を満たすか否かを判断し、取得されたネットワーク容量が需求を満たす、又はチャネル状態情報がチャネル品質要求を満たさない際に、前記第2通信ノードに全二重モードを閉じる二重モード調整情報を送信することを前記第1送信ユニットに通知し、取得されたネットワーク容量が需求を満たさない際に、前記第2通信ノードに全二重モードを開く二重モード調整情報を送信することを前記第1送信ユニットに通知するように設定される請求項22又は23に記載のマクロ基地局。
【請求項２５】
前記第1受信ユニットは更に、前記第2通信ノードが送信した前記第2通信ノードがサポートした二重モード情報、又は第2通信ノードがサポートした二重モードに関連する情報を受信するように設定される請求項22〜24のいずれか一項に記載のマクロ基地局。
【請求項２６】
前記第2通信ノードが送信した二重モード調整要求情報を受信するように設定される前記第1受信ユニットを更に備え、
前記第1送信ユニットは更に、前記第1受信ユニットは前記第2通信ノードが送信した二重モード調整要求情報を受信した後に、ネットワーク状況に基づき、前記二重モード調整情報を前記第2通信ノードに送信するか否かを確定するように設定される請求項22又は23に記載のマクロ基地局。
【請求項２７】
前記二重モード調整情報は、
前記全二重モードを開き/閉じ、又は全二重モードから時分割二重モード及び/又は周波数分割二重モードへ切り替える情報、又は、
前記第2通信ノードに全二重モードの動作時間周波数リソースを指示する情報、又は、
前記第2通信ノードに全二重モードのサブ動作モードを指示する情報、又は、
前記第2通信ノードに前記全二重モードに関連する制御チャネルのリソース位置を受信することを指示する情報を含む請求項22〜26のいずれか一項に記載のマクロ基地局。
【請求項２８】
第2受信ユニット及び調整ユニットを備え、
前記第2受信ユニットは、第1通信ノードが送信した二重モード調整情報を受信するように設定され、
前記調整ユニットは、前記第2受信ユニットが受信した前記二重モード調整情報に基づき通信モード調整を行うように設定され、
前記二重モードは全二重モードを少なくとも含むマイクロ基地局。
【請求項２９】
該マイクロ基地局は第2送信ユニットを更に備え、
前記第2送信ユニットは、マイクロ基地局がサポートした二重モードに基づき前記第1通信ノードが前記二重モード調整情報を前記マイクロ基地局に送信するように、前記第2送信ユニット自分がサポートした二重モード、又はそれがサポートした二重モードに関連する情報を前記第1通信ノードに送信するように設定される請求項28に記載のマイクロ基地局。
【請求項３０】
該マイクロ基地局は調整要求ユニットを更に備え、
前記調整要求ユニットは、二重モード調整要求情報を前記第1通信ノードに送信して、前記第1通信ノードはマイクロ基地局がサポートした二重モードに基づき、前記二重モード調整情報を前記マイクロ基地局に送信するか否かを確定するように設定される請求項29に記載のマイクロ基地局。
【発明の詳細な説明】
【技術分野】
【０００１】
本文は無線通信システムのロングタームエボリューション技術において通信モード調整を実現する技術に関し、特に通信モード調整を実現する方法、マイクロ基地局及びマクロ基地局を指す。
【背景技術】
【０００２】
スマートフォン、タブレットコンピュータ等のインテリジェントターミナルの応用発展に伴って、例えばクラウドコンピューティング、モノのインターネット、携帯テレビ電話および会議、オンラインゲーム、オンライン音楽及びフォトダウンロード等は無線通信ネットワークユーザの大規模増加をもたらし、無線データサービスの爆発的な成長を引き起こす。予測に応じて、将来の10年で、無線データサービスは1000倍に増加し、平均して年間で2倍に増加する。
【０００３】
無線データサービスの増加に適応するために、従来、主にスペクトル帯域幅を増加して、サービス分流を強化して、ネットワーク密度を向上させ、スペクトル効率を高めるなどによって無線通信ネットワーク容量を向上する。無線通信ネットワーク容量を向上することによって、正常な環境で無線データサービスのサービス品質を高めることができる。超高密度ネットワークは第五世代移動通信システムにおける肝心な技術であり、マイクロ基地局（発射電力が低いサイトであり、小型基地局とも呼ばれ、例えばフェムトセル（femto cell）、マイクロセル（micro cell）、スモールセル（small cell）、中継局（relay station）等）は大規模に配置され、コスト、施工環境等の要素を考えて、それらと上位エレメントとの間のバックホール（backhaul）リンク又は基地局の間のフロントホール（fronthaul）リンクは全部で光ファイバ又は有線方式によって実現することが非常に困難であるため、無線伝送の方式によってbackhaul又はfronthaulリンクを実現することを考える必要がある。無線伝送は遅延が短く、配置が柔軟である利点を有するが、貴重な無線スペクトルリソースを占める必要があり、特にインバンド信号伝送（in-band）方式に基づいて実現する際に、マイクロ基地局と上位エレメントとの通信及びマイクロ基地局と下位端末との通信に使用されるのは同じ無線周波数帯域であり、互いの間に時分割の方式で無線周波数帯域を占め、システム全体の容量を低下することになる。例えば、マクロ基地局とマイクロ基地局とは、無線リンクによってin band方式のbackhaulを実現し、マイクロ基地局は下位端末にデータを送信すると同時に、マクロ基地局がそれに送信したデータを受信する。
【０００４】
同じ周波数同時全二重（Full-Duplex）は近年で提案した新型二重技術であり、そのコアは効率よく精細な自己干渉及び相互干渉削除等の技術によって、全二重システムにおける同じ周波数干渉削除を実現して、正常な信号受信を確保し、それにより送受信の同じ周波数同時を実現する。同じ周波数同時全二重モード（以下で全二重モードと略称する）は従来の周波数分割二重モード又は時分割二重モードと比べて、半分の周波数の浪費を減少することができ、将来において非常に価値がある移動新技術である。マイクロ基地局側に全二重モードを引き入れ、無線スペクトルリソースの利用率を向上させることができる。しかし、マイクロ基地局がいつでも全二重モードを起動するのは、システムが作動する過程において柔軟性がなく、ネットワーク負荷の変化に対して、全二重モードを起動するのは、その作動性能を発揮することができなく、逆に、マイクロ基地局に不必要な計算の複雑性及び電力消費を引き起こし、同時に、マイクロ基地局の下位端末の負担を増加し、例えば、全二重モードでマイクロ基地局が下位端末にデータを送信する必要があると同時に、マクロ基地局が該マイクロ基地局に送信したダウンリンクデータの復号化を試す必要があり、マイクロ基地局に不必要な計算の複雑性をもたらし、ネットワーク負荷が軽い際に、マイクロ基地局は全二重モードを開始する必要がなくシステムの全体性能要求を満たすことができ、この時、マイクロ基地局が全二重モードにあると、マイクロ基地局はその他のネットワークノードが送信したデータを受信することを試すと同時に自分の下位端末にデータを送信する必要があってしまうが、実際にその他のネットワークノードはそれにいずれのデータを送信していなく、マイクロ基地局の不必要な電力消費を引き起こす。
【発明の概要】
【発明が解決しようとする課題】
【０００５】
本発明の解決しようとする技術問題は、マイクロ基地局の二重モードを調整して、マイクロ基地局の不必要な電力消費を低下させ、マイクロ基地局の下位端末の負担を軽減するように、通信モード調整を実現する方法、マイクロ基地局及びマクロ基地局を提供する。
【課題を解決するための手段】
【０００６】
本発明の目的を達成するために、以下のような技術的解決手段を採用する。
通信モード調整を実現する方法であって、
第1通信ノードが第2通信ノードに二重モード調整情報を送信するステップ、及び、
前記第2通信ノードが全二重モードを少なくともサポートするステップを含む。
選択的に、前記第1通信ノードが第2通信ノードに二重モード調整情報を送信するステップは、
前記第1通信ノードは前記第2通信ノードがサポートした二重モードに基づき、前記第2通信ノードに二重モード調整情報を送信し、前記第2通信ノードは受信した前記二重モード調整情報に基づき通信モード調整を行うようにすることを含む。
【０００７】
選択的に、前記第1通信ノードが第2通信ノードに二重モード調整情報を送信するステップの前に、該方法は、
前記第2通信ノードが前記第1通信ノードに自分がサポートした二重モード、又は前記第2通信ノードがサポートした二重モードに関連する情報を通知するステップを更に含む。
【０００８】
選択的に、前記第1通信ノードが第2通信ノードに二重モード調整情報を送信するステップの前に、該方法は、
前記第1通信ノードがネットワーク負荷又はチャネル状態情報を取得するステップ、又は、
前記第1通信ノードが前記第2通信ノードが送信した二重モード調整要求情報を受信するステップを更に含む。
【０００９】
選択的に、前記第1通信ノードがネットワーク負荷又はチャネル状態情報を取得する際に、前記第1通信ノードは第2通信ノードに二重モード調整情報を送信するステップは、
前記第1通信ノードが取得したネットワーク容量が需求を満たし、又は前記チャネル状態情報がチャネル品質要求を満たさなく、前記第1通信ノードが全二重モードを閉じる二重モード調整情報を前記第2通信ノードに送信すること、及び
前記第1通信ノードが取得した前記ネットワーク容量が要求を満たさなく、前記第1通信ノードが全二重モードを開く二重モード調整情報を前記第2通信ノードに送信することを含む。
【００１０】
選択的に、前記第2通信ノードが二重モード調整要求情報を前記第1通信ノードに送信する際に、前記第1通信ノードは第2通信ノードに二重モード調整情報を送信するステップは、
第2通信ノードが前記二重モード調整要求情報を前記第1通信ノードに送信し、前記第1通信ノードはネットワーク状況に基づき、前記二重モード調整情報を前記第2通信ノードに送信するか否かを確定することを含む。
【００１１】
選択的に、前記第2通信ノードがサポートした二重モードに関連する情報は、
帯域幅情報、及び/又はキャッシュ情報、及び/又は最大レート情報、及び/又はバージョン情報を含む。
【００１２】
選択的に、前記二重モード調整情報は、
前記全二重モードを開き/閉じ、又は全二重モードから時分割二重モード及び/又は周波数分割二重モードへ切り替える情報、又は、
前記第2通信ノードに全二重モードの動作時間周波数リソースを指示する情報、又は、
前記第2通信ノードに全二重モードのサブ動作モードを指示する情報、又は、
前記第2通信ノードに前記全二重モードに関連する制御チャネルのリソース位置を受信することを指示する情報を含む。
【００１３】
選択的に、前記二重モード調整情報は、前記全二重モードを開く/閉じる情報を含み、
前記全二重モードを開く/閉じるのは、一部のリソースにおける全二重モードを開く/閉じることを含む。
【００１４】
選択的に、前記二重モード調整情報は、前記第2通信ノードに全二重モードの動作時間周波数リソースを指示する情報を含み、
前記動作時間周波数リソースは動作時間周波数リソースの位置、及び/又は動作時間周波数の周期を含む。
【００１５】
選択的に、前記二重モード調整情報は前記第2通信ノードに全二重モードのサブ動作モードを指示する情報を含み、
前記サブ動作モードは、
前記第2通信ノードが前記第1通信ノードが送信したデータを受信すると同時に、第3通信ノードにデータを送信するモード、又は、
前記第2通信ノードが第3通信ノードが送信したデータを受信すると同時に、前記第1通信ノードにデータを送信するモード、を含み、
前記第3通信ノードは前記第2通信ノードと接続を確立するノードである。
【００１６】
通信モード調整を実現する方法であって、
第2通信ノードが第1通信ノードが送信した二重モード調整情報を受信するステップ、
前記第2通信ノードが受信した前記二重モード調整情報に基づき通信モード調整を行うステップ、及び
前記第2通信ノードが全二重モードをサポートするステップを含む。
【００１７】
選択的に、前記第2通信ノードが第1通信ノードが送信した二重モード調整情報を受信するステップの前に、該方法は、前記第2通信ノードはそれ自体がサポートした二重モード、又は前記第2通信ノードがサポートした二重モードに関連する情報を前記第1通信ノードに送信するステップを更に含む。
【００１８】
選択的に、前記第2通信ノードが第1通信ノードが送信した二重モード調整情報を受信するステップの前に、該方法は、
前記第2通信ノードが二重モード調整要求情報を前記第1通信ノードに送信するステップを更に含む。
【００１９】
選択的に、該方法は、前記第2通信ノードが前記第1通信ノードが送信した全二重モードを閉じる二重モード調整情報、又は全二重モードを開く二重モード調整情報を受信するステップを更に含む。
【００２０】
選択的に、該方法は、前記第1通信ノードが受信した前記二重モード調整要求情報及びネットワーク状況に基づき、前記二重モード調整情報を前記第2通信ノードに送信するか否かを確定するステップを更に含む。
【００２１】
選択的に、前記第2通信ノードがサポートした二重モードに関連する情報は、帯域幅情報、及び/又はキャッシュ情報、及び/又は最大レート情報、及び/又はバージョン情報を含む。
【００２２】
選択的に、前記二重モード調整情報は、
前記全二重モードを開き/閉じ、又は全二重モードから時分割二重モード及び/又は周波数分割二重モードへ切り替える情報、又は、
前記第2通信ノードに全二重モードの動作時間周波数リソースを指示する情報、又は、
前記第2通信ノードに全二重モードのサブ動作モードを指示する情報、又は、
前記第2通信ノードに前記全二重モードに関連する制御チャネルのリソース位置を受信することを指示する情報を含む。
【００２３】
選択的に、前記二重モード調整情報は、前記全二重モードを開く/閉じる情報を含み、
前記全二重モードを開く/閉じることは、一部のリソースにおける全二重モードを開く/閉じることを含む。
【００２４】
選択的に、前記二重モード調整情報は、前記第2通信ノードに全二重モードの動作時間周波数リソースを指示する情報を含み、
前記動作時間周波数リソースは動作時間周波数リソースの位置、及び/又は動作時間周波数の周期を含む。
【００２５】
選択的に、前記二重モード調整情報は前記第2通信ノードに全二重モードのサブ動作モードを指示する情報を含み、
前記サブ動作モードは、
前記第2通信ノードが前記第1通信ノードが送信したデータを受信すると同時に、第3通信ノードにデータを送信するモード、又は、
前記第2通信ノードが第3通信ノードが送信したデータを受信すると同時に、前記第1通信ノードにデータを送信するモードであり、
前記第3通信ノードは前記第2通信ノードと接続を確立するノードである。
【００２６】
マクロ基地局であって、第1送信ユニットを備え、
該第1送信ユニットは、第2通信ノードに二重モード調整情報を送信し、
前記第2通信ノードが全二重モードを少なくともサポートするように設定される。
【００２７】
選択的に、前記第1送信ユニットは以下の方式で第2通信ノードに二重モード調整情報を送信するように設定され、
前記第2通信ノードがサポートした二重モードに基づき、前記第2通信ノードに前記二重モード調整情報を送信し、前記第2通信ノードが受信した前記二重モード調整情報に基づき通信モード調整を行うようにする。
【００２８】
選択的に、前記マクロ基地局は取得ユニット及び判断ユニットを更に備え、
前記取得ユニットは、ネットワーク負荷又はチャネル状態情報を取得するように設定され、
該判断ユニットは、前記取得ユニットの取得したネットワーク容量及びチャネル状態情報が需求又はチャネル品質要求を満たすか否かを判断し、取得されたネットワーク容量が需求を満たす、又はチャネル状態情報がチャネル品質要求を満たさない際に、前記第2通信ノードに全二重モードを閉じる二重モード調整情報を送信することを前記第1送信ユニットに通知し、取得されたネットワーク容量が需求を満たさない際に、前記第2通信ノードに全二重モードを開く二重モード調整情報を送信することを前記第1送信ユニットに通知するように設定される。
【００２９】
選択的に、前記第1受信ユニットは更に、前記第2通信ノードが送信した前記第2通信ノードがサポートした二重モード情報、又は第2通信ノードがサポートした二重モードに関連する情報を受信するように設定される。
【００３０】
選択的に、該マクロ基地局は、前記第2通信ノードが送信した二重モード調整要求情報を受信するように設定される前記第1受信ユニットを更に備え、
前記第1送信ユニットは更に、前記第1受信ユニットが前記第2通信ノードが送信した二重モード調整要求情報を受信した後に、ネットワーク状況に基づき、前記二重モード調整情報を前記第2通信ノードに送信するか否かを確定するように設定される。
【００３１】
選択的に、前記二重モード調整情報は、
前記全二重モードを開き/閉じ、又は全二重モードから時分割二重モード及び/又は周波数分割二重モードへ切り替える情報、又は、
前記第2通信ノードに全二重モードの動作時間周波数リソースを指示する情報、又は、
前記第2通信ノードに全二重モードのサブ動作モードを指示する情報、又は、
前記第2通信ノードに前記全二重モードに関連する制御チャネルのリソース位置を受信することを指示する情報を含む。
【００３２】
マイクロ基地局であって、第2受信ユニットと調整ユニットを備え、
前記第2受信ユニットは、第1通信ノードが送信した二重モード調整情報を受信するように設定され、
前記調整ユニットは、前記第2受信ユニットが受信した前記二重モード調整情報に基づき通信モード調整を行うように設定され、
前記二重モードは全二重モードを少なくとも含む。
【００３３】
選択的に、該マイクロ基地局は第2送信ユニットを更に備え、
前記第2送信ユニットは、自分がサポートした二重モード、又はそれがサポートした二重モードに関連する情報を前記第1通信ノードに送信し、前記第1通信ノードはマイクロ基地局がサポートした二重モードに基づき、前記二重モード調整情報を前記マイクロ基地局に送信するように設定される。
【００３４】
選択的に、該マイクロ基地局は調整要求ユニットを更に備え、
前記調整要求ユニットは、二重モード調整要求情報を前記第1通信ノードに送信して、前記第1通信ノードはマイクロ基地局がサポートした二重モードに基づき、前記二重モード調整情報を前記マイクロ基地局に送信するか否かを確定するように設定される。
【発明の効果】
【００３５】
関連技術と比べて、本発明による技術的解決手段は、第1通信ノードは第2通信ノードに二重モード調整情報を送信するステップ、及び第2通信ノードは全二重モードを少なくともサポートするステップを含む。本発明の技術的解決手段は、第2通信ノードに二重モード調整情報を送信することによって、第2通信ノードはいつでも全二重モードを開いて、システムの柔軟性に与える影響を避け、全二重モードが第2通信ノードにもたらす電力消費を低下させ、またその下位端末の負担を減少する。
【図面の簡単な説明】
【００３６】
図面は本出願の技術的解決手段を更に理解するためのものであり、且つ明細書の一部となり、本出願の実施例とともに本出願の技術的解決手段を解釈することに用いられ、本出願の技術的解決手段を制限することがない。
【図１】図1は本発明の実施例による通信モード調整を実現する方法のフローチャートである。
【図２】図2は本発明の実施例によるマクロ基地局を示す構造ブロック図である。
【図３】図3は本発明の実施例によるマイクロ基地局を示す構造ブロック図である。
【図４】図4は実施例1〜実施例4の方法のフローチャートである。
【図５】図5は実施例5〜実施例9の方法のフローチャートである。
【図６】図6は実施例10の方法のフローチャートである。
【図７】図7は実施例11〜実施例19の方法のフローチャートである。
【図８】図8は実施例20の方法のフローチャートである。
【発明を実施するための形態】
【００３７】
以下、図面を参照して本出願の実施例を詳細的に説明する。なお、衝突しない場合に、本出願における実施例及び実施例における特徴を互いに組み合わせることができる。
【００３８】
本発明の実施例による通信モード調整を実現する方法は、第1通信ノードは第2通信ノードに二重モード調整情報を送信するステップ、及び第2通信ノードは全二重モードを少なくともサポートするステップを含む。
【００３９】
具体的に、
第1通信ノードは第2通信ノードがサポートした二重モードに基づき、第2通信ノードに二重モード調整情報を送信し、第2通信ノードは受信した二重モード調整情報に基づき通信モード調整を行うようにするステップを含む。
【００４０】
第1通信ノードは第2通信ノードに二重モード調整情報を送信する前に、第2通信ノードは第1通信ノードに自分がサポートした二重モード、又は第2通信ノードがサポートした二重モードに関連する情報を通知することを更に含む。
【００４１】
第1通信ノードは第2通信ノードに二重モード調整情報を送信する前に、
第1通信ノードがネットワーク負荷又はチャネル状態情報を取得すること、又は、
第2通信ノードが第1通信ノードに二重モード調整要求情報を送信することを更に含む。
【００４２】
第1通信ノードがネットワーク負荷又はチャネル状態情報を取得する際に、第1通信ノードが第2通信ノードがサポートした二重モードに基づき、第2通信ノードに二重モード調整情報を送信するのは、具体的に、
第1通信ノードが取得したネットワーク容量が需求を満たし、又はチャネル状態情報がチャネル品質要求を満たさなく、第1通信ノードは第2通信ノードがサポートした二重モードに基づき、全二重モードを閉じる二重モード調整情報を第2通信ノードに送信すること、及び
第1通信ノードが取得したネットワーク容量が需求を満たさなく、第1通信ノードは第2通信ノードがサポートした二重モードに基づき、全二重モードを開く二重モード調整情報を第2通信ノードに送信することを含む。
第2通信ノードは二重モード調整要求情報を第1通信ノードに送信する際に、第1通信ノードは第2通信ノードがサポートした二重モードに基づき、第2通信ノードに二重モード調整情報を送信するのは、具体的に、
第2通信ノードは二重モード調整要求情報を第1通信ノードに送信し、第1通信ノードはネットワーク状況に基づき、二重モード調整情報を第2通信ノードに送信するか否かを確定することを含む。一般的に、ネットワーク状況はネットワークにおけるサービス優先順位、ネットワークリソース、及びチャネル伝送品質を指し、例えばネットワークリソースに制限がある際に、サービス優先順位に従って、サービス優先順位が高いサブフレームの全二重モードを開く。
【００４３】
なお、ネットワーク容量要求、チャネル品質要求を満たすか否か、及びネットワーク状況に基づいて判断する内容は当業者の慣用の技術手段であり、ここで説明しない。
【００４４】
第2通信ノードは第1通信ノードに自分がサポートした二重モードに関連する情報を通知する際に、サポートした二重モードに関連する情報は、
帯域幅情報、及び/又はキャッシュ情報、及び/又は最大レート情報、及び/又はバージョン情報を少なくとも含む。
【００４５】
選択的に、二重モード調整情報は、全二重モードを開き/閉じ、又は全二重モードから時分割二重モード及び/又は周波数分割二重モードへ切り替える情報、又は、
第2通信ノードに全二重モードの動作時間周波数リソースを指示する情報、又は、
第2通信ノードに全二重モードのサブ動作モードを指示する情報、又は、
第2通信ノードに全二重モードに関連する制御チャネルのリソース位置を受信することを指示する情報を含む。
【００４６】
二重モード調整情報は、全二重モードを開く/閉じる情報であり、
全二重モードを開く/閉じるのは、一部のリソースにおける全二重モードを開く/閉じることを含む。
【００４７】
二重モード調整情報は、第2通信ノードに全二重モードの動作時間周波数リソースを指示する情報であり、
動作時間周波数リソースは動作時間周波数リソースの位置、及び/又は動作時間周波数の周期を含む。
【００４８】
二重モード調整情報は、第2通信ノードに全二重モードのサブ動作モードを指示する情報であり、
サブ動作モードは、第2通信ノードは第1通信ノードが送信したデータを受信すると同時に、第3通信ノードにデータを送信するモード、又は、
第2通信ノードは第3通信ノードが送信したデータを受信すると同時に、第1通信ノードにデータを送信するモードである。
【００４９】
第3通信ノードは第2通信ノードと接続を確立するノードである。
【００５０】
図1は本発明の実施例の通信モード調整を実現する方法のフローチャートである。図1に示すように、ステップ100とステップ10１を含む。
ステップ100、第2通信ノードは第1通信ノードが送信した二重モード調整情報を受信する。
【００５１】
ここで、第2通信ノードは全二重モードをサポートする。
【００５２】
このステップにおいて、二重モード調整情報は、全二重モードを開き/閉じ、又は全二重モードから時分割二重モード及び/又は周波数分割二重モードへ切り替える情報、又は、
第2通信ノードに全二重モードの動作時間周波数リソースを指示する情報；又は、
第2通信ノードに全二重モードのサブ動作モードを指示する情報、又は、
第2通信ノードに全二重モードに関連する制御チャネルのリソース位置を受信することを指示する情報。
二重モード調整情報は、全二重モードを開く/閉じる情報であり、
全二重モードを開く/閉じるのは、一部のリソースにおける全二重モードを開く/閉じることを含む。
【００５３】
二重モード調整情報は、第2通信ノードに全二重モードの動作時間周波数リソースを指示する情報であり、
動作時間周波数リソースは、動作時間周波数リソースの位置、及び/又は動作時間周波数の周期を含み
二重モード調整情報は、第2通信ノードに全二重モードのサブ動作モードを指示する情報であり、
サブ動作モードは、第2通信ノードが第1通信ノードが送信したデータを受信すると同時に、第3通信ノードにデータを送信するモード又は、
第2通信ノードが第3通信ノードが送信したデータを受信すると同時に、第1通信ノードにデータを送信するモードである。ここで、第3通信ノードは第2通信ノードと接続を確立するノードである。
【００５４】
ステップ101、第2通信ノードは受信した二重モード調整情報に基づき通信モード調整を行う。
【００５５】
本発明の実施例の方法の前に、第2通信ノードはそれ自体がサポートした二重モード、又は第2通信ノードが確定してサポートした二重モードに関連する情報を第1通信ノードに送信するステップを更に含む。ここで、サポートした二重モードに関連する情報は、帯域幅情報、及び/又はキャッシュ情報、及び/又は最大レート情報、及び/又はバージョン情報を少なくとも含む。
【００５６】
本発明の実施例の方法の前に、
第1通信ノードがネットワーク負荷又はチャネル状態情報を取得するステップ、又は、
第2通信ノードが二重モード調整要求情報を第1通信ノードに送信するステップを更に含む。
第1通信ノードがネットワーク負荷又はチャネル状態情報を取得する際に、該方法は、第1通信ノードが送信した二重モード調整情報は、第1通信ノードによりネットワーク負荷又はチャネル状態情報に基づき確定するステップを更に含み、具体的に、
第1通信ノードが取得したネットワーク容量が需求を満たし、又はチャネル状態情報がチャネル品質要求を満たさず、第1通信ノードが全二重モードを閉じる二重モード調整情報を第2通信ノードに送信するステップ、及び
第1通信ノードは取得したネットワーク容量が需求を満たさず、第1通信ノードが全二重モードを開く二重モード調整情報を第2通信ノードに送信するステップを含む。
【００５７】
第2通信ノードが二重モード調整要求情報を第1通信ノードに送信する際に、該方法は、第1通信ノードが送信した二重モード調整情報は、第1通信ノードにより二重モード調整要求情報に基づき確定するステップを更に含み、具体的に、
第2通信ノードが二重モード調整要求情報を第1通信ノードに送信し、第1通信ノードがネットワーク状況に基づき二重モード調整情報を第2通信ノードに送信するか否かを確定するステップを含む。
【００５８】
図2は本発明の実施例のマクロ基地局の構造ブロック図であり、図2に示すように、第1送信ユニット201は、第2通信ノードに二重モード調整情報を送信し、
第2通信ノードは全二重モードを少なくともサポートするように設定される。
【００５９】
第1送信ユニット201は具体的に、第2通信ノードがサポートした二重モードに基づき、第2通信ノードに二重モード調整情報を送信し、第2通信ノードが受信した二重モード調整情報に基づき通信モード調整を行うように設定される。
【００６０】
マクロ基地局は取得ユニット202及び第1受信ユニット203を更に備え、
取得ユニット202は、ネットワーク負荷又はチャネル状態情報を取得するように設定され、
第1受信ユニット203は、第2通信ノードが送信した二重モード調整要求情報を受信するように設定され、
マクロ基地局は判断ユニット204を更に備え、取得したネットワーク容量が需求を満たす、又はチャネル状態情報がチャネル品質要求を満たさない時、全二重モードを閉じる二重モード調整情報を第2通信ノードに送信し、
取得したネットワーク容量が需求を満たさない時、第2通信ノードに全二重モードを開く二重モード調整情報を第2通信ノードに送信し、
第2通信ノードが送信した二重モード調整要求情報を受信して、ネットワーク状況に基づき、二重モード調整情報を第2通信ノードに送信するか否かを確定するように設定される。
【００６１】
第1受信ユニット203は更に、第2通信ノードがサポートした二重モード、又は第2通信ノードがサポートした二重モードに関連する情報を受信するように設定される。
【００６２】
二重モード調整情報は、全二重モードを開き/閉じ、又は全二重モードから時分割二重モード及び/又は周波数分割二重モードへ切り替える情報、又は、
第2通信ノードに全二重モードの動作時間周波数リソースを指示する情報、又は、
第2通信ノードに全二重モードのサブ動作モードを指示する情報、又は、
第2通信ノードに全二重モードに関連する制御チャネルのリソース位置を受信することを指示する情報である。
【００６３】
図3は本発明の実施例のマイクロ基地局の構造ブロック図であり、図3に示すように、第2受信ユニット301及び調整ユニット302を備え、
第2受信ユニット301は、第1通信ノードが送信した二重モード調整情報を受信するように設定され、
調整ユニット302は、受信した二重モード調整情報に基づき通信モード調整を行うように設定され、
二重モードは全二重モードを少なくとも含む。
【００６４】
本発明の実施例のマイクロ基地局は第2送信ユニット303を更に備え、自身がサポートした二重モード、又はそのサポートした二重モードに関連する情報を第1通信ノードに送信し、第1通信ノードはマイクロ基地局がサポートした二重モードに基づき二重モード調整情報をマイクロ基地局に送信するように設定される。
【００６５】
本発明の実施例のマイクロ基地局は調整要求ユニット304を更に備え、二重モード調整要求情報を第1通信ノードに送信し、マイクロ基地局がサポートした二重モードに基づき、二重モード調整情報をマイクロ基地局に送信するか否かを確定するように設定される。
【００６６】
本発明の実施例は以下のような技術的解決手段を更に開示し、
通信モード調整を実現する方法であって、
第1通信ノードが第2通信ノードに二重モード調整情報を送信するステップ、及び
前記第2通信ノードが全二重モードを少なくともサポートするステップを含む。
【００６７】
選択的に、前記第1通信ノードが第2通信ノードに二重モード調整情報を送信するステップは、
前記第1通信ノードが前記第2通信ノードがサポートした二重モードに基づき、前記第2通信ノードに二重モード調整情報を送信し、前記第2通信ノードは受信した前記二重モード調整情報に基づき通信モード調整を行うようにすることを含む。
【００６８】
選択的に、前記第1通信ノードが第2通信ノードに二重モード調整情報を送信するステップの前に、該方法は、
前記第2通信ノードが前記第1通信ノードに自分がサポートする二重モード、又は前記第2通信ノードがサポートした二重モードに関連する情報を通知するステップを更に含む。
【００６９】
選択的に、前記第1通信ノードが第2通信ノードに二重モード調整情報を送信するステップの前に、該方法は、
前記第1通信ノードがネットワーク負荷又はチャネル状態情報を取得するステップ、又は、
前記第1通信ノードが前記第2通信ノードが送信した二重モード調整要求情報を受信するステップを更に含む。
【００７０】
選択的に、前記第1通信ノードがネットワーク負荷又はチャネル状態情報を取得する際に、前記第1通信ノードが第2通信ノードに二重モード調整情報を送信するステップは、
前記第1通信ノードが取得したネットワーク容量は需求を満たし、又は前記チャネル状態情報はチャネル品質要求を満たさなく、前記第1通信ノードが全二重モードを閉じる二重モード調整情報を前記第2通信ノードに送信すること、及び
前記第1通信ノードが取得した前記ネットワーク容量は要求を満たさず、前記第1通信ノードが全二重モードを開く二重モード調整情報を前記第2通信ノードに送信することを含む。
【００７１】
選択的に、前記第2通信ノードが二重モード調整要求情報を前記第1通信ノードに送信する際に、前記第1通信ノードが第2通信ノードに二重モード調整情報を送信するステップは、
第2通信ノードが前記二重モード調整要求情報を前記第1通信ノードに送信し、前記第1通信ノードがネットワーク状況に基づき、前記二重モード調整情報を前記第2通信ノードに送信するか否かを確定することを含む。
【００７２】
選択的に、前記第2通信ノードがサポートした二重モードに関連する情報は、
帯域幅情報、及び/又はキャッシュ情報、及び/又は最大レート情報、及び/又はバージョン情報を含む。
【００７３】
選択的に、前記二重モード調整情報は、
前記全二重モードを開き/閉じ、又は全二重モードから時分割二重モード及び/又は周波数分割二重モードへ切り替える情報、又は、
前記第2通信ノードに全二重モードの動作時間周波数リソースを指示する情報、又は、
前記第2通信ノードに全二重モードのサブ動作モードを指示する情報、又は、
前記第2通信ノードに前記全二重モードに関連する制御チャネルのリソース位置を受信することを指示する情報を含む。
【００７４】
選択的に、前記二重モード調整情報は、前記全二重モードを開く/閉じる情報を含み、
前記全二重モードを開く/閉じるのは、一部のリソースにおける全二重モードを開く/閉じることを含む。
【００７５】
選択的に、前記二重モード調整情報は、前記第2通信ノードに全二重モードの動作時間周波数リソースを指示する情報を含み、
前記動作時間周波数リソースは動作時間周波数リソースの位置、及び/又は動作時間周波数の周期を含む。
【００７６】
選択的に、前記二重モード調整情報は前記第2通信ノードに全二重モードのサブ動作モードを指示する情報を含み、
前記サブ動作モードは
前記第2通信ノードが前記第1通信ノードが送信したデータを受信すると同時に、第3通信ノードにデータを送信するモード、又は、
前記第2通信ノードが第3通信ノードが送信したデータを受信すると同時に、前記第1通信ノードにデータを送信するモードを含み、
前記第3通信ノードは前記第2通信ノードと接続を確立するノードである。
【００７７】
通信モード調整を実現する方法であって、
第2通信ノードが第1通信ノードが送信した二重モード調整情報を受信するステップ、
前記第2通信ノードが受信した前記二重モード調整情報に基づき通信モード調整を行うステップ、及び
前記第2通信ノードが全二重モードをサポートするステップを含む。
【００７８】
選択的に、前記第2通信ノードが第1通信ノードが送信した二重モード調整情報を受信するステップの前に、該方法は、前記第2通信ノードがそれ自体がサポートした二重モード、又は前記第2通信ノードがサポートした二重モードに関連する情報を前記第1通信ノードに送信するステップを更に含む。
【００７９】
選択的に、前記第2通信ノードが第1通信ノードが送信した二重モード調整情報を受信するステップの前に、該方法は、
前記第2通信ノードが二重モード調整要求情報を前記第1通信ノードに送信するステップを更に含む。
【００８０】
選択的に、該方法は、前記第2通信ノードが前記第1通信ノードが送信した全二重モードを閉じる二重モード調整情報、又は全二重モードを開く二重モード調整情報を受信するステップを更に含む。
【００８１】
選択的に、該方法は、前記第1通信ノードが受信した前記二重モード調整要求情報及びネットワーク状況に基づき、前記二重モード調整情報を前記第2通信ノードに送信するか否かを確定するステップを更に含む。
【００８２】
選択的に、前記第2通信ノードがサポートした二重モードに関連する情報は、帯域幅情報、及び/又はキャッシュ情報、及び/又は最大レート情報、及び/又はバージョン情報を含む。
【００８３】
選択的に、前記二重モード調整情報は、
前記全二重モードを開き/閉じ、又は全二重モードから時分割二重モード及び/又は周波数分割二重モードへ切り替える情報、又は、
前記第2通信ノードに全二重モードの動作時間周波数リソースを指示する情報、又は、
前記第2通信ノードに全二重モードのサブ動作モードを指示する情報・BR>A又は、
前記第2通信ノードに前記全二重モードに関連する制御チャネルのリソース位置を受信することを指示する情報を含む。
【００８４】
選択的に、前記二重モード調整情報は、前記全二重モードを開く/閉じる情報を含み、
前記全二重モードを開く/閉じるのは、一部のリソースにおける全二重モードを開く/閉じることを含む。
【００８５】
選択的に、前記二重モード調整情報は、前記第2通信ノードに全二重モードの動作時間周波数リソースを指示する情報を含み、
前記動作時間周波数リソースは動作時間周波数リソースの位置、及び/又は動作時間周波数の周期を含む。
【００８６】
選択的に、前記二重モード調整情報は前記第2通信ノードに全二重モードのサブ動作モードを指示する情報を含み、
前記サブ動作モードは、
前記第2通信ノードが前記第1通信ノードが送信したデータを受信すると同時に、第3通信ノードにデータを送信するモード、又は、
前記第2通信ノードが第3通信ノードが送信したデータを受信すると同時に、前記第1通信ノードにデータを送信するモードであり、
前記第3通信ノードは前記第2通信ノードと接続を確立するノードである。
【００８７】
マクロ基地局であって、第1送信ユニットを備え、
該第1送信ユニットは、第2通信ノードに二重モード調整情報を送信し、
前記第2通信ノードは全二重モードを少なくともサポートするように設定される。
【００８８】
選択的に、前記第1送信ユニットは以下の方式で第2通信ノードに二重モード調整情報を送信するように設定され、
前記第2通信ノードがサポートした二重モードに基づき、前記第2通信ノードに前記二重モード調整情報を送信し、前記第2通信ノードは受信した前記二重モード調整情報に基づき通信モード調整を行うようにする。
【００８９】
選択的に、前記マクロ基地局は取得ユニット及び判断ユニットを更に備え、
前記取得ユニットは、ネットワーク負荷又はチャネル状態情報を取得するように設定され、
該判断ユニットは、前記取得ユニットの取得したネットワーク容量及びチャネル状態情報が需求又はチャネル品質要求を満たすか否かを判断し、取得されたネットワーク容量が需求を満たす、又はチャネル状態情報がチャネル品質要求を満たさない際に、前記第2通信ノードに全二重モードを閉じる二重モード調整情報を送信することを前記第1送信ユニットに通知し、取得されたネットワーク容量が需求を満たさない際に、前記第2通信ノードに全二重モードを開く二重モード調整情報を送信することを前記第1送信ユニットに通知するように設定される。
【００９０】
選択的に、前記第1受信ユニットは更に、前記第2通信ノードが送信した前記第2通信ノードがサポートした二重モード情報、又は第2通信ノードがサポートした二重モードに関連する情報を受信するように設定される。
【００９１】
選択的に、該マクロ基地局は、前記第2通信ノードが送信した二重モード調整要求情報を受信するように設定される前記第1受信ユニットを更に備え、
前記第1送信ユニットは更に、前記第1受信ユニットが前記第2通信ノードが送信した二重モード調整要求情報を受信した後に、ネットワーク状況に基づき、前記二重モード調整情報を前記第2通信ノードに送信するか否かを確定するように設定される。
選択的に、前記二重モード調整情報は、
前記全二重モードを開き/閉じ、又は全二重モードから時分割二重モード及び/又は周波数分割二重モードへ切り替える情報、又は、
前記第2通信ノードに全二重モードの動作時間周波数リソースを指示する情報、又は、
前記第2通信ノードに全二重モードのサブ動作モードを指示する情報、又は、
前記第2通信ノードに前記全二重モードに関連する制御チャネルのリソース位置を受信することを指示する情報を含む。
【００９２】
マイクロ基地局であって、第2受信ユニット及び調整ユニットを備え、
前記第2受信ユニットは、第1通信ノードが送信した二重モード調整情報を受信するように設定され、
前記調整ユニットは、前記第2受信ユニットが受信した前記二重モード調整情報に基づき通信モード調整を行うように設定され、
前記二重モードは全二重モードを少なくとも含む。
【００９３】
選択的に、該マイクロ基地局は第2送信ユニットを更に備え、
前記第2送信ユニットは、自分がサポートした二重モード、又はそれがサポートした二重モードに関連する情報を前記第1通信ノードに送信し、前記第1通信ノードはマイクロ基地局がサポートした二重モードに基づき、前記二重モード調整情報を前記マイクロ基地局に送信するように設定される。
【００９４】
選択的に、該マイクロ基地局は調整要求ユニットを更に備え、
前記調整要求ユニットは、二重モード調整要求情報を前記第1通信ノードに送信して、前記第1通信ノードはマイクロ基地局がサポートした二重モードに基づき、前記二重モード調整情報を前記マイクロ基地局に送信するか否かを確定するように設定される。
【００９５】
以下で、仮に第1通信ノードをマクロ基地局として、第2通信ノードをマイクロ基地局とし、マクロ基地局側の具体的な実施例によって、本発明を明らかで詳細的に説明し、実施例は本発明の保護範囲を制限するためものではない。
【００９６】
図4は実施例1〜実施例4の方法のフローチャートである。図4に示すように、マクロ基地局はネットワーク負荷又はチャネル状態情報を取得し、ネットワーク負荷又はチャネル状態情報に基づいて二重モード調整情報をマイクロ基地局に送信する。
【００９７】
実施例1
マクロ基地局はマイクロ基地局が全二重モードをサポートすることを分かり、好ましくは、マクロ基地局はマイクロ基地局がサポートした、二重モードに関連する情報、例えば帯域幅情報、及び/又はキャッシュ情報、及び/又は最大レート情報、及び/又はバージョン情報等を分かった。
【００９８】
マクロ基地局はネットワーク負荷又はチャネル状態情報を取得し、ネットワーク容量が需求（ネットワーク容量需求を満たし）を満たす、又は従来のチャネル状態が伝送需求（チャネル伝送資料が悪い）を満たすことができず、マクロ基地局はマイクロ基地局がサポートした二重モードに基づき、マイクロ基地局に二重モード調整情報を送信して、マイクロ基地局が全二重モードを閉じることを指示する。
【００９９】
マイクロ基地局は二重モード調整情報を受信した後に、二重モード調整情報に基づき全二重モードを閉じ、又は全二重モードから時分割二重モード及び/又は周波数分割二重モードへ切り替える。
【０１００】
実施例2
マクロ基地局はマイクロ基地局が全二重モードをサポートすることを分かり、好ましくは、マクロ基地局はマイクロ基地局がサポートした、二重モードに関連する情報、例えば帯域幅情報、及び/又はキャッシュ情報、及び/又は最大レート情報、及び/又はバージョン情報等を分かった。
【０１０１】
マクロ基地局はネットワーク負荷又はチャネル状態情報を取得し、ネットワーク容量が需求を満たす（ネットワーク容量需求を満たし）、又は従来のチャネル状態は伝送需求を満たすことができない時（チャネル伝送資料が悪い）、マクロ基地局はマイクロ基地局がサポートした二重モードに基づき、マイクロ基地局に二重モード調整情報を送信して、マイクロ基地局が一部のリソースにおける全二重モードを閉じることを指示する。LTEフレーム構造を例として、例えばサブフレーム1における全二重モードを閉じて、一部の動作周波数帯域、例えばサブバンド1を閉じてもよい。
【０１０２】
マイクロ基地局は二重モード調整情報を受信した後に、受信した二重モード調整情報の要求に従って、対応するリソースにおける全二重モードを閉じる。
【０１０３】
実施例3
マクロ基地局はマイクロ基地局が全二重モードをサポートすることを分かり、好ましくは、マクロ基地局はマイクロ基地局がサポートした、二重モードに関連する情報、例えば帯域幅情報、及び/又はキャッシュ情報、及び/又は最大レート情報、及び/又はバージョン情報等を分かった。
【０１０４】
マクロ基地局はネットワーク容量が需求を満たさないことを取得し、マクロ基地局はマイクロ基地局がサポートした二重モードに基づき、マイクロ基地局に二重モード調整情報を送信して、マイクロ基地局が全二重モードを開くことを指示する。
【０１０５】
マイクロ基地局は受信した二重モード調整情報の要求に応じて全二重モードを開く。例えば時分割二重モード又は周波数分割二重モードから全二重モードへ変換する。
【０１０６】
実施例4
マクロ基地局はマイクロ基地局が全二重モードをサポートすることを分かり、好ましくは、マクロ基地局はマイクロ基地局がサポートした、二重モードに関連する情報、例えば帯域幅情報、及び/又はキャッシュ情報、及び/又は最大レート情報、及び/又はバージョン情報等を分かった。
【０１０７】
マクロ基地局はネットワーク容量が需求を満たさないことを取得し、マクロ基地局はマイクロ基地局がサポートした二重モードに基づき、マイクロ基地局に二重モード調整情報を送信し、マイクロ基地局が一部のリソースにおける全二重モードを開くことを指示する。LTEフレーム構造を例として、例えばサブフレーム1における全二重モードを開き、一部の動作周波数帯域、例えばサブバンド1を開いてもよい。
【０１０８】
マイクロ基地局は二重モード調整情報を受信した後に、受信した二重モード調整情報の要求に応じて、対応するリソースにおける全二重モードを開く。
【０１０９】
図5は実施例5〜実施例9の方法のフローチャートである。図5に示すように、マクロ基地局は二重モード調整情報をマイクロ基地局に直接に送信する。
【０１１０】
実施例5
マクロ基地局はマイクロ基地局が全二重モードをサポートすることを分かり、好ましくは、マクロ基地局はマイクロ基地局がサポートした、二重モードに関連する情報、例えば帯域幅情報、及び/又はキャッシュ情報、及び/又は最大レート情報、及び/又はバージョン情報等を分かった。
【０１１１】
マクロ基地局はマイクロ基地局がサポートした二重モードに基づき、マイクロ基地局に二重モード調整情報を送信し、マイクロ基地局に全二重モードの動作時間周波数リソースを指示し、即ちマイクロ基地局がどちらの時間周波数リソースに全二重モードに従って動作することを指示し、LTEフレーム構造を例として、例えばマクロ基地局はマイクロ基地局がサブフレーム1、サブフレーム3、サブフレーム5、サブフレーム7、サブフレーム9（周期が2である）で全二重モードに従って動作することを指示する。
【０１１２】
マイクロ基地局は受信した二重モード調整情報の要求に応じて、対応するサブフレームで指示に従って指定された二重モードで動作する。
【０１１３】
実施例6
マクロ基地局はマイクロ基地局が全二重モードをサポートすることを分かり、好ましくは、マクロ基地局はマイクロ基地局がサポートした、二重モードに関連する情報、例えば帯域幅情報、及び/又はキャッシュ情報、及び/又は最大レート情報、及び/又はバージョン情報等を分かった。
【０１１４】
マクロ基地局はマイクロ基地局がサポートした二重モードに基づき、マイクロ基地局に二重モード調整情報を送信し、マイクロ基地局に全二重モードの動作時間周波数リソースを指示し、即ちマイクロ基地局がどちらの時間周波数リソースに全二重モードに従って動作することを指示し、LTEフレーム構造を例として、例えばマクロ基地局はマイクロ基地局がフレーム1〜10で（非周期）全二重モードに従って動作することを指示する。
【０１１５】
マイクロ基地局は受信した二重モード調整情報の要求に応じて、対応するサブフレームで指示に従って指定された二重モードで動作する。
【０１１６】
実施例7
マクロ基地局はマイクロ基地局が全二重モードをサポートすることを分かり、好ましくは、マクロ基地局はマイクロ基地局がサポートした、二重モードに関連する情報、例えば帯域幅情報、及び/又はキャッシュ情報、及び/又は最大レート情報、及び/又はバージョン情報等を分かった。
【０１１７】
マクロ基地局はマイクロ基地局がサポートした二重モードに基づき、マイクロ基地局に二重モード調整情報を送信し、サブ基地局に全二重モードのサブ動作モードを指示し、サブ動作モードは、マイクロ基地局がマクロ基地局の送信したデータを受信すると同時に、下位端末（マイクロ基地局と接続を確立する端末）にデータを送信することである。
【０１１８】
マイクロ基地局は受信した二重モード調整情報の要求に応じて、対応するサブフレームで指示に従って指定された二重モードで動作する。
【０１１９】
実施例8
マクロ基地局はマイクロ基地局が全二重モードをサポートすることを分かり、好ましくは、マクロ基地局はマイクロ基地局がサポートした、二重モードに関連する情報、例えば帯域幅情報、及び/又はキャッシュ情報、及び/又は最大レート情報、及び/又はバージョン情報等を分かった。
【０１２０】
マクロ基地局はマイクロ基地局がサポートした二重モードに基づき、マイクロ基地局に二重モード調整情報を送信し、マイクロ基地局が全二重モードのサブ動作モードを行うことを指示し、サブ動作モードは、マイクロ基地局が下位端末のデータを受信すると同時に、マクロ基地局にデータを送信することである。
【０１２１】
マイクロ基地局は受信した二重モード調整情報の要求に応じて、対応するサブフレームで指示に従って指定された二重モードで動作する。
【０１２２】
実施例9
マクロ基地局はマイクロ基地局が全二重モードをサポートすることを分かり、好ましくは、マクロ基地局はマイクロ基地局がサポートした、二重モードに関連する情報、例えば帯域幅情報、及び/又はキャッシュ情報、及び/又は最大レート情報、及び/又はバージョン情報等を分かった。
【０１２３】
マクロ基地局はマイクロ基地局がサポートした二重モードに基づき、マイクロ基地局に二重モード調整情報を送信し、第2通信ノードに全二重モードに関連する制御チャネルのリソース位置を受信することを指示する。LTEフレーム構造を例として、マクロ基地局はマイクロ基地局がサブフレーム1で全二重モードに関連する制御チャネルの受信を試すことを指示する。
【０１２４】
マイクロ基地局は受信した二重モード調整情報に従って動作する。
【０１２５】
図6は実施例10の方法のフローチャートである。図6に示すように、マクロ基地局はマイクロ基地局がサポートした二重モードに基づき、マイクロ基地局に二重モード調整情報を送信し、マイクロ基地局のネットワーク状況及びサポートした二重モードを結合して、二重モード調整情報をマイクロ基地局に送信する。
【０１２６】
実施例10
マクロ基地局はマイクロ基地局が全二重モードをサポートすることを分かり、好ましくは、マクロ基地局はマイクロ基地局がサポートした、二重モードに関連する情報、例えば帯域幅情報、及び/又はキャッシュ情報、及び/又は最大レート情報、及び/又はバージョン情報等を分かった。
【０１２７】
マイクロ基地局はマイクロ基地局がサポートした二重モードに基づき、マイクロ基地局に二重モード調整情報を送信し、マイクロ基地局のネットワーク状況及びサポートした二重モードに基づき、二重モード調整情報をマイクロ基地局に送信する。一般的に、ネットワーク状況はネットワークにおけるサービス優先順位、ネットワークリソース、及びチャネル伝送品質を指し、例えばネットワークリソースに制限がある際に、サービス優先順位に従って、サービス優先順位が高いサブフレームの全二重モードを開く。
【０１２８】
マイクロ基地局は受信した二重モード調整情報に従って動作する。
【０１２９】
以下で、依然として第1通信ノードをマクロ基地局として設定し、第2通信ノードをマイクロ基地局として設定し、マイクロ基地局側の具体的な実施例によって、本発明を明らかで詳細的に説明し、実施例は本発明の保護範囲を制限するためのものではない。
【０１３０】
図7は実施例11〜実施例19の方法のフローチャートである。図7に示すように、マイクロ基地局は自分のサポートした全二重モードをマクロ基地局に送信し、マイクロ基地局は受信したマクロ基地局が送信した二重モード調整情報に基づき通信モード調整を行う。
【０１３１】
実施例11
マイクロ基地局は自分のサポートした全二重モードをマクロ基地局に送信し、好ましくは、マイクロ基地局は自分がサポートした二重モードに関連する情報をマクロ基地局に送信し、ここでサポートした二重モードは全二重モードを少なくとも含み、例えば帯域幅情報、及び/又はキャッシュ情報、及び/又は最大レート情報、及び/又はバージョン情報等である。
【０１３２】
マイクロ基地局は受信したマクロ基地局が送信した二重モード調整情報に基づき通信モード調整を行い、例えば、二重モード調整情報は全二重モードを閉じる情報であり、例えば、全二重モードから時分割二重モード及び/又は周波数分割二重モードに切り替える情報である。
【０１３３】
実施例12
マイクロ基地局は自分のサポートした全二重モードをマクロ基地局に送信し、好ましくは、マイクロ基地局は自分がサポートした二重モードに関連する情報をマクロ基地局に送信し、ここでサポートした二重モードは全二重モードを少なくとも含み、例えば帯域幅情報、及び/又はキャッシュ情報、及び/又は最大レート情報、及び/又はバージョン情報等である。
【０１３４】
マイクロ基地局はマクロ基地局が送信した二重モード調整情報を受信して通信モード調整を行い、例えば、二重モード調整情報はマイクロ基地局が一部のリソースにおける全二重モードを閉じることを指示する。LTEフレーム構造を例として、例えばサブフレーム1における全二重モードを閉じて、一部の動作周波数帯域、例えばサブバンド1を閉じてもよい。
【０１３５】
実施例13
マイクロ基地局は自分のサポートした全二重モードをマクロ基地局に送信し、好ましくは、マイクロ基地局は自分がサポートした二重モードに関連する情報をマクロ基地局に送信し、ここでサポートした二重モードは全二重モードを少なくとも含み、例えば帯域幅情報、及び/又はキャッシュ情報、及び/又は最大レート情報、及び/又はバージョン情報等である。
【０１３６】
マイクロ基地局はマクロ基地局が送信した二重モード調整情報を受信して通信モード調整を行い、二重モード調整情報は、全二重モードを開く情報である。例えば、時分割二重モード又は周波数分割二重モードから全二重モードへ変換する情報である。
【０１３７】
実施例14
マイクロ基地局は自分のサポートした全二重モードをマクロ基地局に送信し、好ましくは、マイクロ基地局は自分がサポートした二重モードに関連する情報をマクロ基地局に送信し、ここでサポートした二重モードは全二重モードを少なくとも含み、例えば帯域幅情報、及び/又はキャッシュ情報、及び/又は最大レート情報、及び/又はバージョン情報等である。
【０１３８】
マイクロ基地局はマクロ基地局が送信した二重モード調整情報を受信して通信モード調整を行い、二重モード調整情報は、マイクロ基地局が一部のリソースにおける全二重モードを指示する情報である。LTEフレーム構造を例として、例えばサブフレーム1における全二重モードを開き、一部の動作周波数帯域、例えばサブバンド1開いてもよい。
【０１３９】
実施例15
マイクロ基地局は自分のサポートした全二重モードをマクロ基地局に送信し、好ましくは、マイクロ基地局は自分がサポートした二重モードに関連する情報をマクロ基地局に送信し、ここでサポートした二重モードは全二重モードを少なくとも含み、例えば帯域幅情報、及び/又はキャッシュ情報、及び/又は最大レート情報、及び/又はバージョン情報等である。
【０１４０】
マイクロ基地局はマクロ基地局が送信した二重モード調整情報を受信して通信モード調整を行い、二重モード調整情報はマイクロ基地局に全二重モードの動作時間周波数リソースを指示し、即ちマイクロ基地局がどちらの時間周波数リソースに全二重モードに従って動作することを指示する情報であり、LTEフレーム構造を例として、例えばマクロ基地局はマイクロ基地局がサブフレーム1、サブフレーム3、サブフレーム5、サブフレーム7、サブフレーム9（周期が2である）で全二重モードに従って動作することを指示する。
【０１４１】
実施例16
マイクロ基地局は自分のサポートした全二重モードをマクロ基地局に送信し、好ましくは、マイクロ基地局は自分がサポートした二重モードに関連する情報をマクロ基地局に送信し、ここでサポートした二重モードは全二重モードを少なくとも含み、例えば帯域幅情報、及び/又はキャッシュ情報、及び/又は最大レート情報、及び/又はバージョン情報等である。
【０１４２】
マイクロ基地局はマクロ基地局が送信した二重モード調整情報を受信して通信モード調整を行い、二重モード調整情報は、マイクロ基地局に全二重モードの動作時間周波数リソースを指示し、即ちマイクロ基地局がどちらの時間周波数リソースに全二重モードに従って動作することを指示する情報であり、LTEフレーム構造を例として、例えばマクロ基地局はマイクロ基地局がフレーム1〜10で（非周期）全二重モードに従って動作することを指示する。
【０１４３】
実施例17
マイクロ基地局は自分のサポートした全二重モードをマクロ基地局に送信し、好ましくは、マイクロ基地局は自分がサポートした二重モードに関連する情報をマクロ基地局に送信し、ここでサポートした二重モードは全二重モードを少なくとも含み、例えば帯域幅情報、及び/又はキャッシュ情報、及び/又は最大レート情報、及び/又はバージョン情報等である。
【０１４４】
マイクロ基地局はマクロ基地局が送信した二重モード調整情報を受信して通信モード調整を行い、二重モード調整情報は、サブ基地局に全二重モードのサブ動作モードを指示する情報であり、サブ動作モードは、マイクロ基地局がマクロ基地局の送信したデータを受信すると同時に、下位端末（マイクロ基地局と接続を確立する端末）にデータを送信する。
【０１４５】
実施例18
マイクロ基地局は自分のサポートした全二重モードをマクロ基地局に送信し、好ましくは、マイクロ基地局は自分がサポートした二重モードに関連する情報をマクロ基地局に送信し、ここでサポートした二重モードは全二重モードを少なくとも含み、例えば帯域幅情報、及び/又はキャッシュ情報、及び/又は最大レート情報、及び/又はバージョン情報等である。
【０１４６】
マイクロ基地局はマクロ基地局が送信した二重モード調整情報を受信して通信モード調整を行い、二重モード調整情報は、マイクロ基地局が全二重モードのサブ動作モードを行うことを指示する情報であり、サブ動作モードはマイクロ基地局が下位端末データを受信すると同時に、マクロ基地局にデータを送信する。
【０１４７】
実施例19
マイクロ基地局は自分のサポートした全二重モードをマクロ基地局に送信し、好ましくは、マイクロ基地局は自分がサポートした二重モードに関連する情報をマクロ基地局に送信し、ここでサポートした二重モードは全二重モードを少なくとも含み、例えば帯域幅情報、及び/又はキャッシュ情報、及び/又は最大レート情報、及び/又はバージョン情報等である。
【０１４８】
マイクロ基地局はマクロ基地局が送信した二重モード調整情報を受信して通信モード調整を行い、二重モード調整情報は、第2通信ノードに全二重モードに関連する制御チャネルのリソース位置を受信することを指示する情報である。LTEフレーム構造を例として、マクロ基地局はマイクロ基地局がサブフレーム1で全二重モードに関連する制御チャネルの受信を試すことを指示する。
【０１４９】
図8は実施例20の方法のフローチャートである。図8に示すように、実施例11〜19との区別は、マイクロ基地局は自分がサポートした全二重モードをマクロ基地局に送信する以外、さらに二重モード調整要求情報をマクロ基地局に送信した。
【０１５０】
実施例20
マイクロ基地局は自分のサポートした全二重モードをマクロ基地局に送信し、好ましくは、マイクロ基地局は自分がサポートした二重モードに関連する情報をマクロ基地局に送信し、ここでサポートした二重モードは全二重モードを少なくとも含み、例えば帯域幅情報、及び/又はキャッシュ情報、及び/又は最大レート情報、及び/又はバージョン情報等である。
【０１５１】
マイクロ基地局は二重モード調整要求情報をマクロ基地局に送信し、
マイクロ基地局はマクロ基地局が送信した二重モード調整情報を受信して通信モード調整を行う。
【０１５２】
本発明の実施例はコンピュータプログラムを更に開示し、プログラム命令を含み、該プログラム命令がマクロ基地局によって実行される際に、該マクロ基地局は上記の任意の通信モード調整を実現する方法を実行させることができる。 
【０１５３】
本発明の実施例は前記のコンピュータプログラムが載せられたキャリアを更に開示する。
【０１５４】
本発明の実施例はコンピュータプログラムを更に開示し、プログラム命令を含み、該プログラム命令がマイクロ基地局によって実行される際に、該マイクロ基地局は上記の任意の通信モード調整を実現する方法を実行させることができる。 
【０１５５】
本発明の実施例前記のコンピュータプログラムが載せられたキャリアを更に開示する。
【０１５６】
本出願は実施形態を以上のように開示したが、前記の内容は本出願を理解しやすくするために使用する実施形態だけであり、例えば本発明の実施形態における具体的な実現方法のように、本出願を制限するためのものではない。本出願が所属する分野における当業者の誰でも、本出願が開示した精神及び範囲を逸脱しない限り、実施の形式及び細部に任意の修正及び変化を行うことができるが、本出願の特許保護範囲は、依然として付いた特許請求の範囲で指定された範囲を基準とする
【産業上の利用可能性】
【０１５７】
本発明の技術的解決手段は第2通信ノードに二重モード調整情報を送信することによって、第2通信ノードはいつでも全二重モードを開いて、システムの柔軟性に与える影響を避け、全二重モードが第2通信ノードにもたらす電力消費を低下させ、その下位端末の負担を軽減する。このため、本発明は高い工業実用性を有する。
【図１】
2017529777.tif 000003
【図２】
2017529777.tif 000004
【図３】
2017529777.tif 000005
【図４】
2017529777.tif 000006
【図５】
2017529777.tif 000007
【図６】
2017529777.tif 000008
【図７】
2017529777.tif 000009
【図８】
2017529777.tif 000010
【手続補正書】
【提出日】平成29年4月6日(2017.4.6)
【手続補正１】
【補正対象書類名】特許請求の範囲
【補正対象項目名】全文
【補正方法】変更
【補正の内容】
【特許請求の範囲】
【請求項１】
第1通信ノードが第2通信ノードに二重モード調整情報を送信するステップ、及び
前記第2通信ノードが全二重モードを少なくともサポートするステップを含む通信モード調整を実現する方法。
【請求項２】
前記第1通信ノードが第2通信ノードに二重モード調整情報を送信するステップは、
受信した前記二重モード調整情報に基づき、前記第2通信ノードが通信モード調整を行うように、前記第1通信ノードは前記第2通信ノードがサポートした二重モードに基づき、前記第2通信ノードに前記二重モード調整情報を送信することを含む請求項1に記載の通信モード調整を実現する方法。
【請求項３】
前記第1通信ノードが第2通信ノードに二重モード調整情報を送信するステップの前に、該方法は、
前記第2通信ノードが前記第1通信ノードに自分がサポートした二重モード、又は前記第2通信ノードがサポートした二重モードに関連する情報を通知するステップを更に含み、
前記第2通信ノードがサポートした二重モードに関連する情報は、
帯域幅情報、及び/又はキャッシュ情報、及び/又は最大レート情報、及び/又はバージョン情報を含む請求項1又は2に記載の通信モード調整を実現する方法。
【請求項４】
前記第1通信ノードが第2通信ノードに二重モード調整情報を送信するステップの前に、該方法は、
前記第1通信ノードがネットワーク負荷又はチャネル状態情報を取得するステップ、又は、
前記第1通信ノードが前記第2通信ノードが送信した二重モード調整要求情報を受信するステップを更に含み、
前記第1通信ノードがネットワーク負荷又はチャネル状態情報を取得する際に、前記第1通信ノードが第2通信ノードに二重モード調整情報を送信するステップは、
前記第1通信ノードが取得したネットワーク容量は需求を満たし、又は前記チャネル状態情報はチャネル品質要求を満たさず、前記第1通信ノードが全二重モードを閉じる二重モード調整情報を前記第2通信ノードに送信すること、及び
前記第1通信ノードが取得した前記ネットワーク容量は要求を満たさず、前記第1通信ノードが全二重モードを開く二重モード調整情報を前記第2通信ノードに送信することを含み、
又は、
前記第2通信ノードが二重モード調整要求情報を前記第1通信ノードに送信する際に、前記第1通信ノードが第2通信ノードに二重モード調整情報を送信するステップは、
第2通信ノードが前記二重モード調整要求情報を前記第1通信ノードに送信し、前記第1通信ノードがネットワーク状況に基づき、前記二重モード調整情報を前記第2通信ノードに送信するか否かを確定することを含む請求項1又は2に記載の通信モード調整を実現する方法。
【請求項５】
前記二重モード調整情報は、
前記全二重モードを開き/閉じ、又は全二重モードから時分割二重モード及び/又は周波数分割二重モードへ切り替える情報、又は、
前記第2通信ノードに全二重モードの動作時間周波数リソースを指示する情報、又は、
前記第2通信ノードに全二重モードのサブ動作モードを指示する情報、又は、
前記第2通信ノードに前記全二重モードに関連する制御チャネルのリソース位置を受信することを指示する情報、を含む請求項1〜4のいずれか一項に記載の通信モード調整を実現する方法。
【請求項６】
前記二重モード調整情報は、前記全二重モードを開く/閉じる情報を含み、
前記全二重モードを開く/閉じるのは、一部のリソースにおける全二重モードを開く/閉じることを含み、
又は、
前記二重モード調整情報は、前記第2通信ノードに全二重モードの動作時間周波数リソースを指示する情報を含み、
前記動作時間周波数リソースは動作時間周波数リソースの位置、及び/又は動作時間周波数の周期を含み、
又は、
前記二重モード調整情報は前記第2通信ノードに全二重モードのサブ動作モードを指示する情報を含み、
前記サブ動作モードは、
前記第2通信ノードが前記第1通信ノードが送信したデータを受信すると同時に、第3通信ノードにデータを送信するモード、又は、
前記第2通信ノードが第3通信ノードが送信したデータを受信すると同時に、前記第1通信ノードにデータを送信するモードを含み、
前記第3通信ノードは前記第2通信ノードと接続を確立するノードである請求項5に記載の通信モード調整を実現する方法。
【請求項７】
第2通信ノードが第1通信ノードが送信した二重モード調整情報を受信するステップ、
前記第2通信ノードが受信した前記二重モード調整情報に基づき通信モード調整を行うステップ、及び
前記第2通信ノードが全二重モードをサポートするステップを含む通信モード調整を実現する方法。
【請求項８】
前記第2通信ノードが第1通信ノードが送信した二重モード調整情報を受信するステップの前に、該方法は、前記第2通信ノードが自分がサポートした二重モード、又は前記第2通信ノードがサポートした二重モードに関連する情報を前記第1通信ノードに送信するステップを更に含み、
前記第2通信ノードがサポートした二重モードに関連する情報は、帯域幅情報、及び/又はキャッシュ情報、及び/又は最大レート情報、及び/又はバージョン情報を含む請求項7に記載の通信モード調整を実現する方法。
【請求項９】
前記第2通信ノードが第1通信ノードが送信した二重モード調整情報を受信するステップの前に、該方法は、
前記第2通信ノードが二重モード調整要求情報を前記第1通信ノードに送信するステップを更に含み、
又は、
該方法は、前記第2通信ノードが前記第1通信ノードが送信した全二重モードを閉じる二重モード調整情報、又は全二重モードを開く二重モード調整情報を受信するステップを更に含み、
又は、
前記第1通信ノードが受信した前記二重モード調整要求情報及びネットワーク状況に基づき、前記二重モード調整情報を前記第2通信ノードに送信するか否かを確定するステップを更に含む請求項7に記載の通信モード調整を実現する方法。
【請求項１０】
前記二重モード調整情報は、
前記全二重モードを開き/閉じ、又は全二重モードから時分割二重モード及び/又は周波数分割二重モードへ切り替える情報、又は、
前記第2通信ノードに全二重モードの動作時間周波数リソースを指示する情報、又は、
前記第2通信ノードに全二重モードのサブ動作モードを指示する情報、又は、
前記第2通信ノードに前記全二重モードに関連する制御チャネルのリソース位置を受信することを指示する情報を含み、
前記二重モード調整情報は、前記全二重モードを開く/閉じる情報を含み、
前記全二重モードを開く/閉じるのは、一部のリソースにおける全二重モードを開く/閉じることを含み、
又は、
前記二重モード調整情報は、前記第2通信ノードに全二重モードの動作時間周波数リソースを指示する情報を含み、
前記動作時間周波数リソースは動作時間周波数リソースの位置、及び/又は動作時間周波数の周期を含み、
又は、
前記二重モード調整情報は前記第2通信ノードに全二重モードのサブ動作モードを指示する情報を含み、
前記サブ動作モードは、
前記第2通信ノードが前記第1通信ノードが送信したデータを受信すると同時に、第3通信ノードにデータを送信するモード、又は、
前記第2通信ノードが第3通信ノードが送信したデータを受信すると同時に、前記第1通信ノードにデータを送信するモードであり、
前記第3通信ノードは前記第2通信ノードと接続を確立するノードである請求項7〜9のいずれか一項に記載の通信モード調整を実現する方法。
【請求項１１】
第1送信ユニットを備え、
該第1送信ユニットは、第2通信ノードに二重モード調整情報を送信するように設定され、
前記第2通信ノードが全二重モードを少なくともサポートするマクロ基地局。
【請求項１２】
前記第1送信ユニットは
受信した前記二重モード調整情報に基づき、前記第2通信ノードが通信モード調整を行うように、前記第2通信ノードがサポートした二重モードに基づき、前記第2通信ノードに前記二重モード調整情報を送信するとの方式で第2通信ノードに二重モード調整情報を送信する請求項11に記載のマクロ基地局。
【請求項１３】
取得ユニット及び判断ユニットを更に備え、
前記取得ユニットは、ネットワーク負荷又はチャネル状態情報を取得するように設定され、
該判断ユニットは、前記取得ユニットの取得したネットワーク容量及びチャネル状態情報が需求又はチャネル品質要求を満たすか否かを判断し、取得されたネットワーク容量が需求を満たす、又はチャネル状態情報がチャネル品質要求を満たさない際に、前記第2通信ノードに全二重モードを閉じる二重モード調整情報を送信することを前記第1送信ユニットに通知し、取得されたネットワーク容量が需求を満たさない際に、前記第2通信ノードに全二重モードを開く二重モード調整情報を送信することを前記第1送信ユニットに通知するように設定され、
又は、
前記第1受信ユニットは更に、前記第2通信ノードが送信した前記第2通信ノードがサポートした二重モード情報、又は第2通信ノードがサポートした二重モードに関連する情報を受信するように設定され、
又は、
前記第2通信ノードが送信した二重モード調整要求情報を受信するように設定される前記第1受信ユニットを更に備え、
前記第1送信ユニットは更に、前記第1受信ユニットは前記第2通信ノードが送信した二重モード調整要求情報を受信した後に、ネットワーク状況に基づき、前記二重モード調整情報を前記第2通信ノードに送信するか否かを確定するように設定され、
又は、
前記二重モード調整情報は、
前記全二重モードを開き/閉じ、又は全二重モードから時分割二重モード及び/又は周波数分割二重モードへ切り替える情報、又は、
前記第2通信ノードに全二重モードの動作時間周波数リソースを指示する情報、又は、
前記第2通信ノードに全二重モードのサブ動作モードを指示する情報、又は、
前記第2通信ノードに前記全二重モードに関連する制御チャネルのリソース位置を受信することを指示する情報を含む請求項11又は12に記載のマクロ基地局。
【請求項１４】
第2受信ユニット及び調整ユニットを備え、
前記第2受信ユニットは、第1通信ノードが送信した二重モード調整情報を受信するように設定され、
前記調整ユニットは、前記第2受信ユニットが受信した前記二重モード調整情報に基づき通信モード調整を行うように設定され、
前記二重モードは全二重モードを少なくとも含むマイクロ基地局。
【請求項１５】
該マイクロ基地局は第2送信ユニットを更に備え、
前記第2送信ユニットは、マイクロ基地局がサポートした二重モードに基づき前記第1通信ノードが前記二重モード調整情報を前記マイクロ基地局に送信するように、前記第2送信ユニット自分がサポートした二重モード、又はそれがサポートした二重モードに関連する情報を前記第1通信ノードに送信するように設定され、
該マイクロ基地局は調整要求ユニットを更に備え、
前記調整要求ユニットは、二重モード調整要求情報を前記第1通信ノードに送信して、前記第1通信ノードはマイクロ基地局がサポートした二重モードに基づき、前記二重モード調整情報を前記マイクロ基地局に送信するか否かを確定するように設定される請求項14に記載のマイクロ基地局。                                  
【国際調査報告】
2017529777.tif 000011
2017529777.tif 000012
2017529777.tif 000013
2017529777.tif 000014